(57)【要約】【課題】本発明は、読取対象のカラー原稿の画像と当該カラー原稿を読み取って出力したカラー出力画像との一致度を向上させたカラー画像処理装置に関する。【解決手段】カラー画像処理装置１は、カラー画像入力装置１０の読み取ったカラー原稿Ｇの入力カラー画像信号と分光データ指定部１４で指定された光源１１の分光データと光学センサ１２の分光感度データを色変換処理装置２０に渡し、色変換処理部２１が当該分光データ及び分光データ指定部２３で指定された観察照明光Ｐｂの分光データやカラー画像出力装置３０の色材の分光データ等を記憶部２２から読み出して予め記憶部２２に記憶されている変換パラメータを補正し、当該補正後の変換パラメータを用いて入力カラー画像信号の色変換を行う。したがって、カラー原稿ＧとハードコピーＨｐとの色の見え方の一致度を向上させることができる。【選択図】          図１
2005311446.tif 000002
【特許請求の範囲】
【請求項１】
カラー原稿に光源から読取光を照射して当該カラー原稿で反射された当該読取光の反射光を光学センサで光電変換して入力カラー画像信号を出力するカラー画像入力手段と、当該入力カラー画像信号に対して変換パラメータに基づいて色変換処理を施して出力カラー画像信号を生成する色変換処理手段と、当該出力カラー画像信号に基づいて所定の色材を用いて出力カラー画像を記録媒体上に印字出力するカラー画像出力手段と、前記色変換パラメータの他に、前記光源の分光エネルギーデータ、前記光学センサの分光感度データ、前記カラー原稿に用いられる複数種類の色材についての分光データ、前記カラー画像出力手段で用いられる色材についての分光データ及び前記記録媒体上に印字出力された前記出力カラー画像を観察する際の複数種類の観察照明光の分光エネルギーデータを記憶する記憶手段と、実際に前記カラー画像入力手段の読み取る前記カラー原稿に用いられている色材の種類及び実際に前記出力カラー画像を観察する際の前記観察照明光の種類を手操作で指示または自動的に特定する指定手段と、前記カラー画像入力手段及び前記カラー画像出力手段の実装状態に応じて前記記憶手段から前記光源の分光エネルギーデータ、前記光学センサの分光感度データ、前記カラー画像出力手段の色材についての分光データを読み出し、また、前記指定手段による指示または特定に応じて前記記憶手段から前記カラー原稿の色材についての分光データと前記観察照明光についての分光エネルギーデータを読み出して、前記記憶手段の前記変換パラメータを補正して、当該補正後の変換パラメータを前記色変換処理手段に出力するパラメータ決定手段と、を備え、前記色変換処理手段が、当該パラメータ決定手段から入力される前記補正後の変換パラメータを用いて前記入力カラー画像信号に色変換処理を施すことを特徴とするカラー画像処理装置。
【発明の詳細な説明】
【技術分野】
【０００１】
本発明は、カラー画像処理装置に関し、詳細には、読取対象のカラー原稿の画像と当該カラー原稿を読み取って出力した出力カラー画像との一致度を向上させたカラー画像処理装置に関する。
【背景技術】
【０００２】
カラー画像の処理としては、カラースキャナ等の画像入力装置で、カラー原稿を光学的に走査して当該カラー原稿の画像を読み取ってカラー画像信号を取得し、当該画像入力装置で取得したカラー画像信号を、カラープリンタやカラーディスプレイ等の画像出力装置で、用紙に記録出力したり表示出力することが行われている。
【０００３】
そして、従来から、カラー画像の処理としては、画像入力装置がカラー原稿を読み取って取得したカラー画像信号を、所定の変換パラメータを使用して変換して、当該変換後のカラー画像信号に基づいて画像出力装置で画像出力し、当該画像出力した画像を観察者が観察している。
【０００４】
このようなカラー原稿の処理においては、画像入力装置としてのカラースキャナで読み取られるカラー原稿の条件や画像出力装置によって出力されたカラー画像を観察する条件によっても様々に変化する。
【０００５】
そこで、従来、画像入力装置でカラー原稿を読み取ってカラー画像信号を取得する際に設定される画像入力条件に基づいて当該カラー画像信号に画像処理を行う画像処理方法、画像出力装置、像情報入力装置、ハードコピー生産方法及び画像形成記録要素が提案されており（特許文献１参照）、また、カラー原稿を読み取ったカラー画像信号を画像出力部の出力条件を考慮した出力条件プロファイルによりデバイス非依存の画像データを画像出力部用のデバイス依存の画像データに変換して、出力するカラー画像記録装置が提案されている（特許文献２参照）。
【０００６】
また、従来、画像入力装置がカラー原稿を読み取って取得したカラー画像信号を、所定の変換パラメータを使用して変換して、当該変換後のカラー画像信号に基づいて画像出力装置で画像出力し、当該画像出力した画像を観察者が観察する際に、画像入力装置の読み取るカラー原稿の色材についての分光データおよび出力画像の観察照明光についての分光エネルギーデータ等に基づいて、画像入力装置から入力されるカラー原稿のカラー画像信号を変換する変換パラメータを補正するカラー画像処理装置が提案されている（特許文献３参照）。
【０００７】
【特許文献１】特開２００１−１９７３４３号公報
【特許文献２】特開２０００−２０９４４７号公報
【特許文献３】特開平１０−１３６２２１号公報
【発明の開示】
【発明が解決しようとする課題】
【０００８】
しかしながら、上記従来技術にあっては、いずれも、観察照明光でカラー原稿を見た場合の見えと観察照明光で出力カラー画像を見た場合の見えとが一致せず、違和感のある画像になってしまうという問題があった。例えば、特許文献３記載の従来技術では、カラー原稿の色材についての分光データ及び観察照明光についての分光エネルギーデータ等によって、入力カラー画像信号に色変換を施す際に使用する変換パラメータを補正しているため、観察照明光でカラー原稿を見た場合の見えと、変換パラメータを決定した際に用いた照明光における出力カラー画像の見えとは一致するが、観察照明光でカラー原稿を見た場合の見えと同じ観察照明光で出力から画像を見た場合の出力カラー画像の見えとが一致しないおそれがあった。
【０００９】
そこで、本発明は、カラー原稿を光学的に読み取って得られた入力カラー画像信号に色変換処理を施して、出力カラー画像を用紙等の記録媒体上に印字出力するカラー画像処理装置において、カラー原稿を構成する色材の種別及び出力カラー画像を観察する際の照明条件にかかわらず、カラー原稿と出力カラー画像との色の見え方の一致度を向上させることのできるカラー画像処理装置を提供することを目的としている。
【００１０】
具体的には、請求項１記載の発明は、カラー原稿に読取光を照射する光源とカラー原稿からの読取光の反射光を光電変換する光学センサを備えたカラー画像入力手段の読み取ったカラー原稿の入力カラー画像信号に対して、色変換処理手段で、色変換パラメータに基づいて色変換処理を施して出力カラー画像信号を生成し、当該出力カラー画像信号に基づいて、カラー画像出力手段で、所定の色材を用いて出力カラー画像を記録媒体上に印字出力するに際して、記憶手段に、色変換パラメータの他に、光源の分光エネルギーデータ、光学センサの分光感度データ、カラー原稿に用いられる複数種類の色材についての分光データ、カラー画像出力手段で用いられる色材についての分光データ及び記録媒体上に印字出力された出力カラー画像を観察する際の複数種類の観察照明光の分光エネルギーデータを記憶し、指定手段で、実際にカラー画像入力手段の読み取るカラー原稿に用いられている色材の種類及び実際に出力カラー画像を観察する際の観察照明光の種類を手操作で指示または自動的に特定して、パラメータ決定手段で、カラー画像入力手段及びカラー画像出力手段の実装状態に応じて記憶手段から光源の分光エネルギーデータ、光学センサの分光感度データ、カラー画像出力手段の色材についての分光データを読み出し、また、指定手段による指示または特定に応じて記憶手段からカラー原稿の色材についての分光データと観察照明光についての分光エネルギーデータを読み出して、記憶手段の色変換パラメータを補正して、当該補正後の色変換パラメータを色変換処理手段に出力し、色変換処理手段が、当該パラメータ決定手段から入力される補正後の色変換パラメータを用いて入力カラー画像信号に色変換処理を施すことにより、色変換パラメータを決定した際に用いた照明光とは異なる照明光でのカラー原稿の見えの違い及び色変換パラメータを決定した際に用いた照明光とは異なる照明光での出力カラー画像の見えの違いを吸収し、処理速度を低下させることなく、観察照明光でのカラー原稿と出力カラー画像の見えを一致させることのできるカラー画像処理装置を提供することを目的としている。
【課題を解決するための手段】
【００１１】
請求項１記載の発明のカラー画像処理装置は、カラー原稿に光源から読取光を照射して当該カラー原稿で反射された当該読取光の反射光を光学センサで光電変換して入力カラー画像信号を出力するカラー画像入力手段と、当該入力カラー画像信号に対して色変換パラメータに基づいて色変換処理を施して出力カラー画像信号を生成する色変換処理手段と、当該出力カラー画像信号に基づいて所定の色材を用いて出力カラー画像を記録媒体上に印字出力するカラー画像出力手段と、前記色変換パラメータの他に、前記光源の分光エネルギーデータ、前記光学センサの分光感度データ、前記カラー原稿に用いられる複数種類の色材についての分光データ、前記カラー画像出力手段で用いられる色材についての分光データ及び前記記録媒体上に印字出力された前記出力カラー画像を観察する際の複数種類の観察照明光の分光エネルギーデータを記憶する記憶手段と、実際に前記カラー画像入力手段の読み取る前記カラー原稿に用いられている色材の種類及び実際に前記出力カラー画像を観察する際の前記観察照明光の種類を手操作で指示または自動的に特定する指定手段と、前記カラー画像入力手段及び前記カラー画像出力手段の実装状態に応じて前記記憶手段から前記光源の分光エネルギーデータ、前記光学センサの分光感度データ、前記カラー画像出力手段の色材についての分光データを読み出し、また、前記指定手段による指示または特定に応じて前記記憶手段から前記カラー原稿の色材についての分光データと前記観察照明光についての分光エネルギーデータを読み出して、前記記憶手段の前記色変換パラメータを補正して、当該補正後の色変換パラメータを前記色変換処理手段に出力するパラメータ決定手段と、を備え、前記色変換処理手段が、当該パラメータ決定手段から入力される前記補正後の色変換パラメータを用いて前記入力カラー画像信号に色変換処理を施すことにより、上記目的を達成している。
【発明の効果】
【００１２】
請求項１記載の発明のカラー画像処理装置によれば、カラー原稿に読取光を照射する光源とカラー原稿からの読取光の反射光を光電変換する光学センサを備えたカラー画像入力手段の読み取ったカラー原稿の入力カラー画像信号に対して、色変換処理手段で、色変換パラメータに基づいて色変換処理を施して出力カラー画像信号を生成し、当該出力カラー画像信号に基づいて、カラー画像出力手段で、所定の色材を用いて出力カラー画像を記録媒体上に印字出力するに際して、記憶手段に、色変換パラメータの他に、光源の分光エネルギーデータ、光学センサの分光感度データ、カラー原稿に用いられる複数種類の色材についての分光データ、カラー画像出力手段で用いられる色材についての分光データ及び記録媒体上に印字出力された出力カラー画像を観察する際の複数種類の観察照明光の分光エネルギーデータを記憶し、指定手段で、実際にカラー画像入力手段の読み取るカラー原稿に用いられている色材の種類及び実際に出力カラー画像を観察する際の観察照明光の種類を手操作で指示または自動的に特定して、パラメータ決定手段で、カラー画像入力手段及びカラー画像出力手段の実装状態に応じて記憶手段から光源の分光エネルギーデータ、光学センサの分光感度データ、カラー画像出力手段の色材についての分光データを読み出し、また、指定手段による指示または特定に応じて記憶手段からカラー原稿の色材についての分光データと観察照明光についての分光エネルギーデータを読み出して、記憶手段の色変換パラメータを補正して、当該補正後の色変換パラメータを色変換処理手段に出力し、色変換処理手段が、当該パラメータ決定手段から入力される補正後の色変換パラメータを用いて入力カラー画像信号に色変換処理を施しているので、色変換パラメータを決定した際に用いた照明光とは異なる照明光でのカラー原稿の見えの違い及び色変換パラメータを決定した際に用いた照明光とは異なる照明光での出力カラー画像の見えの違いを吸収することができ、処理速度を低下させることなく、観察照明光でのカラー原稿と出力カラー画像の見えを一致させることができる。
【発明を実施するための最良の形態】
【００１３】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００１４】
図１〜図３は、本発明のカラー画像処理装置の一実施例を示す図であり、図１は、本発明のカラー画像処理装置の一実施例を適用したカラー画像処理装置１のブロック構成図である。
【００１５】
図１において、カラー画像処理装置１は、カラー画像入力装置１０、色変換処理装置２０及びカラー画像出力装置３０等を備えている。
【００１６】
カラー画像入力装置(カラー画像入力手段）１０は、カラー原稿Ｇを光学的に主走査及び副走査して読み取って入力カラー画像信号に変換するカラースキャナが用いられており、光源１１、光学センサ１２、記憶部１３、分光データ指定部１４及び入力処理部１５等を備えている。
【００１７】
色変換処理装置２０は、予め保存されている補正前の色変換パラメータを補正して、カラー画像入力装置１０からの入力カラー画像信号を色変換するための色変換パラメータを決定するとともに、その決定した補正後の色変換パラメータを用いて、カラー画像入力装置１０から入力される入力カラー画像信号を色変換して、カラー画像出力装置３０で用いられる出力カラー画像信号を得るものであり、色変換処理部２１、記憶部２２及び分光データ指定部２３等を備えている。
【００１８】
カラー画像出力装置（カラー画像出力手段）３０は、色変換処理装置２０で処理された出力カラー画像信号に基づいて出力カラー画像を生成するものであり、例えば、出力カラー画像信号に基づいて、用紙等の記録媒体上にシアン、マゼンタ、イエローの３色の色材によって出力カラー画像を形成するカラープリンタである。
【００１９】
まず、カラー画像入力装置１０について説明すると、光源１１は、原稿読取用の読取光Ｐａをカラー原稿Ｇに照射し、光学センサ１２は、カラー原稿Ｇからの当該読取光Ｐａの反射光が入射されて、当該入射される読取光Ｐａを光電変換して入力カラー画像信号として入力処理部１５に出力する。
【００２０】
記憶部（記憶手段）１３は、光源１１の分光エネルギーを示す光源分光エネルギーデータ及び光学センサ１２の分光感度を示す分光感度データが、予め格納されており、当該記憶部１３内の光源分光エネルギーデータ及び分光感度データは入力処理部１５により読み出される。
【００２１】
カラー原稿Ｇは、例えば、通常の白紙の用紙上にインクやトナー等の色材によってカラー画像が形成されたものであり、記憶部１３には、さらに、このようなカラー原稿Ｇに用いられる複数種類の色材についての分光データ（原稿分光データ）が、予め格納されている。ただし、カラー原稿Ｇの色材についての原稿分光データは、色材ベタについての分光反射率を示すデータである。
【００２２】
分光データ指定部（指定手段）１４は、実際にカラー画像入力装置１０に読み取らせるカラー原稿Ｇに用いられている色材が、記憶部１３に登録された複数種類の色材のうちのいずれであるかを指定するものであり、カラー画像処理装置１の操作部に設けられていて、カラー画像処理装置１の利用者が、指定操作を行うことで指定してもよいし、利用者が指示する代わりに、光学センサ１２の出力から入力処理部１５で得られた入力カラー画像信号の色値の分布から、分光データ指定部１４がカラー原稿Ｇに用いられた色材の種類を自動的に特定することで、指定してもよい。
【００２３】
入力処理部１５は、ＣＰＵ（Central Processing Unit ）、ＣＰＵが実行すべき入力処理ルーチンの書き込まれているＲＯＭ（Read Only Memory）及びＣＰＵのワークエリアとして動作するＲＡＭ（Random Access Memory）等を備え、図２に示す画像入力処理を実行する。
【００２４】
すなわち、入力処理部１５は、まず、図２に示すように、光学センサ１２の出力から入力カラー画像信号を得て、その入力カラー画像信号を色変換処理装置２０の色変換処理部２１に送出する（ステップＳ１０１）。
【００２５】
次に、入力処理部１５は、分光データ指定部１４で手操作または自動で指示（特定）されたカラー原稿Ｇの色材の種類、すなわち実際にカラー原稿Ｇに用いられている色材についての分光データと、カラー画像入力装置１０の実装している光源１１の分光エネルギーデータ及び光学センサ１２の分光感度データとを、記憶部１３から読み出して、色変換処理装置２０の色変換処理部２１に送出する（ステップＳ１０２）。この場合、入力処理部１５は、カラー画像信号を、例えば、ＴＩＦＦ（Ａｄｏｂｅ  Ｓｙｓｔｅｍｓ社の登録商標）等の画像ファイルとして送出するとともに、カラー原稿Ｇに用いられた色材についての分光データ、光源１１の分光エネルギーデータ及び光学センサ１２の分光感度データを、ＴＩＦＦの拡張タグ等を用いて画像ファイルに埋め込んで送出する。
【００２６】
次に、色変換処理装置２０について説明する。色変換処理装置２０は、上述のように、補正前の色変換パラメータを補正して、カラー画像入力装置１０からの入力カラー画像信号を色変換するためのパラメータを決定するとともに、その決定した補正後の色変換パラメータによって、カラー画像入力装置１０からの入力カラー画像信号を色変換して、カラー画像出力装置３０で用いられる出力カラー画像信号を得るものである。
【００２７】
記憶部（記憶手段）２２には、上記補正前の色変換パラメータと、カラー画像出力装置３０によって記録出力されるハードコピーＨｐを観察する際の複数種類の観察照明光Ｐｂについての分光エネルギーデータが、予め格納されている。記憶部２２に格納されている補正前の色変換パラメータは、具体的には、多次元ＬＵＴ（ルックアップテーブル）データとして与えられる。また、カラー画像出力装置３０は、上述のように、白紙の用紙上にインクやトナー等の色材によってカラー画像を形成するものであり、記憶部２２には、このカラー画像出力装置３０で使用している色材についての分光データも予め格納される。ただし、カラー画像出力装置３０で使用する色材についての分光データは、後述するように、色材ベタについての分光反射率を示すデータである。
【００２８】
分光データ指定部（指定手段）２３は、実際にカラー画像出力装置３０によって出力されたハードコピーＨｐを観察する際の観察照明光Ｐｂが、記憶部２２に予め登録されている種類のうちのいずれであるかを指示するものであり、カラー画像処理装置１の操作部に設けられていて、カラー画像処理装置１の利用者が、指定操作を行うことで指定してもよいし、利用者が指示する代わりに、分光データ指定部２３に対して観察照明光Ｐｂの分光エネルギー分布を測定する光学センサを接続して、その光学センサの出力から分光データ指定部２３が観察照明光Ｐｂの種類を自動的に特定することで、指定してもよい。
【００２９】
色変換処理部（色変換処理手段）２１は、ＣＰＵ（Central Processing Unit ）、ＣＰＵが実行すべき色変換処理ルーチンの書き込まれているＲＯＭ（Read Only Memory）及びＣＰＵのワークエリアとして動作するＲＡＭ（Random Access Memory）等を備え、図３に示す色変換処理を実行する。
【００３０】
すなわち、色変換処理部２１は、図３に示すように、カラー画像入力装置１０の入力処理部１５から送出された入力カラー画像信号及び各種分光データを受信して、記憶部２２に記憶する（ステップＳ２０１）。
【００３１】
次に、色変換処理部２１は、予め記憶部２２に格納されていて、分光データ指定部２３で指定された種類の観察照明光Ｐｂ、すなわち、実際にハードコピーＨｐを観察する際の観察照明光Ｐｂについての分光データと、ステップＳ２０１でカラー画像入力装置１０から受信して記憶部２２に記憶した各種分光データ、すなわち、カラー原稿Ｇに用いられている色材についての分光データ、カラー画像入力装置１０の光源１１の分光エネルギーデータ及びカラー画像入力装置１０の光学センサ１２の分光感度データとを用いて、予め記憶部２２に保存されている補正前の色変換パラメータを補正して、ステップＳ２０１で記憶部２２に保存した入力カラー画像信号を色変換するための色変換パラメータを決定し、当該決定した補正後の色変換パラメータを記憶部２２に保存する（ステップＳ２０２）。
【００３２】
次に、色変換処理部２１は、ステップＳ２０２で記憶部２２に保存した補正後の色変換パラメータを用いて、ステップＳ２０１で記憶部２２に保存した入力カラー画像信号を色変換し、色変換後の出力カラー画像信号をカラー画像出力装置３０に送出する（ステップＳ２０３）。
【００３３】
カラー画像出力装置３０は、上述のように、例えば、カラープリンタであり、色変換処理装置２０から入力される出力カラー画像信号に基づいて、用紙等の記録媒体上にシアン、マゼンタ、イエローの３色の色材によって出力カラー画像を形成して、ハードコピーＨｐを生成する。そして、このハードコピーＨｐを、観察者が観察照明光Ｐｂを用いて観察する。
【００３４】
次に、上記色変換処理部２１での色変換パラメータの補正、決定について説明する。なお、以下の説明では、一例として、カラー原稿Ｇは、シアン、マゼンタ、イエローの３色の色材によってカラー画像が形成されているものとする。また、カラースキャナであるカラー画像入力装置１０は、一般的には、カラー画像信号として、レッド（赤）、グリーン（緑）、ブルー（青）の色信号（Ｒ、Ｇ、Ｂ）を出力するが、レッド、グリーン、ブルーの色信号（Ｒ、Ｇ、Ｂ）は、ＣＩＥ（国際照明委員会）が定めたＸＹＺ信号（Ｘ、Ｙ、Ｚ）と線形関係にある。そこで、ここでは、説明を簡略にするために、カラー画像入力装置１０は、カラー画像信号としてＸＹＺ信号（Ｘ、Ｙ、Ｚ）を出力するものとする。さらに、本実施例のカラー画像処理装置１では、カラー画像出力装置３０が、用紙等の記録媒体上にシアン、マゼンタ、イエローの３色の色材によってカラー画像を形成するものとする。
【００３５】
上述のように設定した場合、カラー画像入力装置１０からの入力カラー画像信号、すなわち、カラー画像入力装置１０でカラー原稿Ｇを読み取った色値（Ｘ、Ｙ、Ｚ）は、次の式（１）で表される。
【００３６】
【数１】
2005311446.tif 000003
【００３７】
ただし、ρ（λ）は、カラー原稿Ｇ上の色の分光反射率、Ｓ（λ）は、カラー画像入力装置１０の光源１１の分光エネルギー、ｘ！（λ）、ｙ！（λ）、ｚ！（λ）は、それぞれＸ、Ｙ、Ｚ原刺激の等色関数、すなわち、カラー画像入力装置１０の光学センサ１２の分光透過率である。また、それぞれの積分記号は、可視光の範囲で積分することを意味している。
【００３８】
同じカラー原稿Ｇを観察照明光Ｐｂの下で観察した場合の色値（Ｘ’、Ｙ’、Ｚ’）は、次の式（２）で表される。
【００３９】
【数２】
2005311446.tif 000004
【００４０】
ただし、ΔＳ（λ）は、観察照明光Ｐｂの分光エネルギーＳ’（λ）と、カラー画像入力装置１０の光源１１の分光エネルギーＳ（λ）との差分である。
【００４１】
式（２）は、カラー原稿Ｇ上の色値、すなわち、入力値（Ｘ、Ｙ、Ｚ）に、補正値（ΔＸ、ΔＹ、ΔＺ）を加算することで、観察照明光Ｐｂに対する補正を行うことができることを意味している。
【００４２】
そして、その補正値（ΔＸ、ΔＹ、ΔＺ）については、以下のようにして求めることができる。すなわち、まず、上記差分ΔＳ（λ）は、観察照明光Ｐｂの分光エネルギーデータとカラー画像入力装置１０の光源１１の分光エネルギーデータとから次式のように簡単に計算することができる。
【００４３】
ΔＳ（λ）＝Ｓ’（λ）−Ｓ（λ）
また、カラー画像入力装置１０の光学センサ１２の分光透過率ｘ！（λ）、ｙ！（λ）、ｚ！（λ）は、光学センサ１２の分光感度データによって示される。したがって、カラー原稿Ｇ上の色の分光反射率ρ（λ）が求められれば、補正値（ΔＸ、ΔＹ、ΔＺ）を計算することができる。
【００４４】
しかし、カラー原稿Ｇ上の色の分光反射率ρ（λ）は、カラー原稿Ｇを構成する色材の分光反射率と色材量とに依存しており、一般にこれらの関係は非常に複雑である。そのため、全ての色について分光反射率ρ（λ）を計算によって求めることは難しい。
【００４５】
そこで、本実施例のカラー画像処理装置１では、カラー原稿Ｇ上の全ての色について分光反射率ρ（λ）を計算するのではなく、色材ベタについてのみ分光反射率ρ（λ）を求める。そのため、上述したように、カラー画像入力装置１０の記憶部１３には、カラー原稿Ｇに用いられる複数種類の色材についての分光データとして、それぞれ色材ベタについての分光反射率ρ（λ）を示すデータが書き込まれている。
【００４６】
したがって、カラー原稿Ｇに用いられた色材の、それぞれシアン、マゼンタ、イエローのベタについての分光反射率ρ（λ）を、それぞれρｃ（λ）、ρｍ（λ）、ρｙ（λ）とすると、シアン、マゼンタ、イエローのベタについての補正値（ΔＸｃ、ΔＹｃ、ΔＺｃ）、（ΔＸｍ、ΔＹｍ、ΔＺｍ）、（ΔＸｙ、ΔＹｙ、ΔＺｙ）は、それぞれ次式（３ｃ）、（３ｍ）、（３ｙ）で表される。
【００４７】
【数３】
2005311446.tif 000005
【００４８】
そして、それぞれシアン、マゼンタ、イエローのベタについての入力値（Ｘｃ、Ｙｃ、Ｚｃ）、（Ｘｍ、Ｙｍ、Ｚｍ）、（Ｘｙ、Ｙｙ、Ｚｙ）と補正値（ΔＸｃ、ΔＹｃ、ΔＺｃ）、（ΔＸｍ、ΔＹｍ、ΔＺｍ）、（ΔＸｙ、ΔＹｙ、ΔＺｙ）との関係は、次式（４）で表される。
【００４９】
【数４】
2005311446.tif 000006
【００５０】
すなわち、カラー原稿Ｇ上の色値（Ｘ、Ｙ、Ｚ）に対して式（４）の変換マトリクスＭを乗じることによって、補正値（ΔＸ、ΔＹ、ΔＺ）を得ることができる。そして、このようにして得られる補正値（ΔＸ、ΔＹ、ΔＺ）は、シアン、マゼンタ、イエローのベタに関しては、カラー原稿Ｇの色の見え方が一致するような正確な値となる。
【００５１】
その他の色に関しては、シアン、マゼンタ、イエローのベタについての補正値（ΔＸｃ、ΔＹｃ、ΔＺｃ）、（ΔＸｍ、ΔＹｍ、ΔＺｍ）、（ΔＸｙ、ΔＹｙ、ΔＺｙ）から線形補間によって、補正値（ΔＸ、ΔＹ、ΔＺ）を求める。そのため、その他の色については、変換誤差を生じるが、これらの中間色は、ベタに比べてもともと補正値が小さいので、変換誤差の影響は少ない。
【００５２】
上記式（２）及び式（４）から、カラー原稿Ｇ上の色値（Ｘ、Ｙ、Ｚ）から、同じカラー原稿Ｇを観察照明光Ｐｂの下で観察した場合の色値（Ｘ’、Ｙ’、Ｚ’）への変換式は、次式（５）で表される。
【００５３】
【数５】
2005311446.tif 000007
【００５４】
一方、カラー画像出力装置３０で出力カラー画像の形成に用いられる色材に関しても、ベタの分光反射率から同様の変換式を導き出すことができる。
【００５５】
すなわち、シアン、マゼンタ、イエローそれぞれのベタについて、（１）式対応の積分値（Ｘｏｃ、Ｙｏｃ、Ｚｏｃ）、（Ｘｏｍ、Ｙｏｍ、Ｚｏｍ）、（Ｘｏｙ、Ｙｏｙ、Ｚｏｙ）と、（３ｃ）、（３ｍ）、（３ｙ）式対応の補正値（ΔＸｏｃ、ΔＹｏｃ、ΔＺｏｃ）、（ΔＸｏｍ、ΔＹｏｍ、ΔＺｏｍ）、（ΔＸｏｙ、ΔＹｏｙ、ΔＺｏｙ）との関係は、次式（６）で表される。
【００５６】
【数６】
2005311446.tif 000008
【００５７】
また、出力カラー画像の色値（Ｘｏ、Ｙｏ、Ｚｏ）から、観察照明光Ｐｂの下でハードコピーＨｐを観察した場合の色値（Ｘ”、Ｙ”、Ｚ”）への変換式は、次式（７）で表される。
【００５８】
【数７】
2005311446.tif 000009
【００５９】
したがって、観察照明光Ｐｂの下でハードコピーＨｐを観察した場合に、カラー原稿Ｇの画像とハードコピーＨｐの出力カラー画像の見えを同じにするには、次式（８）による変換を行えば良い。
【００６０】
【数８】
2005311446.tif 000010
【００６１】
一方、観察照明光Ｐｂが変化していない本来の状態で与えられているカラー原稿Ｇ上の色値（Ｘ、Ｙ、Ｚ）を、カラー画像出力装置３０で出力される色値（Ｃ、Ｍ、Ｙ）に変換するための変換式は、次式（９）で表される。
【００６２】
【数９】
2005311446.tif 000011
【００６３】
上記（９）式の変換関数ｇのパラメータは、補正前の色変換パラメータであり、上述したように、多次元ＬＵＴデータとして、予め色変換処理装置２０の記憶部２２に格納されているものである。また、上記式（８）の変換関数ｆは、３入力３出力の多次元ＬＵＴによって示される。
【００６４】
したがって、観察照明光Ｐｂが変化した場合のカラー原稿Ｇ上の色値（Ｘ、Ｙ、Ｚ）を、カラー画像出力装置３０で出力される色値（Ｃ、Ｍ、Ｙ）に変換するための変換式は、次式（１０）で表される。
【００６５】
【数１０】
2005311446.tif 000012
【００６６】
したがって、色変換処理装置２０の色変換処理部２１が、カラー原稿Ｇをカラー画像入力装置１０で読み取った入力カラー画像信号の色変換を開始する前に、補正前の色変換パラメータである変換関数ｇのパラメータを補正して、変換関数ｈのパラメータに変更し、その後、その補正後の色変換パラメータである変換関数ｈのパラメータを用いて、入力カラー画像信号の色変換を行うことによって、変換関数ｇのアルゴリズムを変更することなく、したがって入力カラー画像信号の色変換処理自体の処理速度を全く低下させることなく、入力カラー画像信号を色変換することができるとともに、カラー原稿Ｇを構成する色材の種別及びハードコピーＨｐを観察する際の照明条件にかかわらず、カラー原稿ＧとハードコピーＨｐとの色の見え方の一致度を向上させることができる。
【００６７】
なお、本実施例のカラー画像処理装置１は、カラー画像入力装置１０と色変換処理装置２０とが別の装置として構成され、両者を接続することによって、構成されているが、カラー画像処理装置１としては、カラー画像入力装置１０の機能と色変換処理装置２０の機能が一つにまとめられていてもよい。この場合、入力処理部１５と色変換処理部２１を一つのＣＰＵにより共通化することができるとともに、記憶部１３と記憶部２２及び分光データ指定部１４と分光データ指定部２３を、それぞれ共通化することができる。
【００６８】
また、光源１１と光学センサ１２を有するカラー画像入力装置１０としては、各種のカラースキャナを選択的に用い、また、カラー画像出力装置３０としては、各種のカラープリンタを選択的に用いる場合であっても、それぞれのカラースキャナの光源の分光エネルギーデータ及び光学センサの分光感度データを、予め保存しておくとともに、それぞれのカラー画像出力装置に対応した補正前の色変換パラメータを、予め保存しておき、利用者の指示等によって、そのうちの対応する分光データないし色変換パラメータが選択されるようにすることで、カラー画像入力装置及びカラー画像出力装置の種類ないし条件にかかわらず、カラー原稿Ｇの画像とハードコピーＨｐの出力カラー画像との色の見え方の一致度を向上させることができる。
【００６９】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００７０】
読取対象のカラー原稿の画像と当該カラー原稿を読み取って色変換処理を施した後に、出力した出力カラー画像との一致度を向上させたカラーコピー装置等のカラー画像処理装置に適用することができる。
【図面の簡単な説明】
【００７１】
【図１】本発明のカラー画像処理装置の一実施例を適用したカラー画像処理装置のブロック構成図。
【図２】図１のカラー画像入力装置による画像入力処理を示すフローチャート。
【図３】図１の色変換処理装置による色変換処理を示すフローチャート。
【符号の説明】
【００７２】
１  カラー画像処理装置
１０  カラー画像入力装置
１１  光源
１２  光学センサ
１３  記憶部
１４  分光データ指定部
１５  入力処理部
２０  色変換処理装置
２１  色変換処理部
２２  記憶部
２３  分光データ指定部
３０  カラー画像出力装置
Ｇ  カラー原稿
Ｐａ  読取光
Ｐｂ  観察照明光
Ｈｐ  ハードコピー
【図１】
2005311446.tif 000013
【図２】
2005311446.tif 000014
【図３】
2005311446.tif 000015